(57)【要約】【課題】  ショーケースの冷却停止に係る時刻設定を簡単、且つ、的確に行うことができる集中管理システムを提供する。【解決手段】  営業時間終了後に冷却を停止しても特段支障を生じることのないショーケースに関しては、営業開始・終了時刻を基準としこれら時刻との時間差に基づいて冷却開始・停止時刻を設定できるので、時間差を予め定めておけば、店舗の営業時間が変更された場合でも変更後の営業開始・終了時刻のみを入力するだけで前記ショーケースの冷却開始・停止時刻を適切に設定することができる。依って、冷却開始時刻〜冷却停止時刻が営業開始時刻〜営業終了時刻と交錯するような設定ミスを生じることはなく、営業開始時刻に適正温度で冷却された商品を確実に提供することができる。【選択図】  図１１
2005315458.tif 000002
【特許請求の範囲】
【請求項１】
端末制御装置を有する複数のショーケースの運転を集中制御装置によって統括して管理する集中管理システムであって、
集中制御装置は、店舗の営業開始・終了時刻を設定するための営業時刻設定手段と、営業開始前と営業終了後の時間差をそれぞれ設定するための時間差設定手段と、前記営業開始・終了時刻と前記時間差に基づいてショーケースの冷却開始・停止時刻を設定する冷却時刻設定手段と、冷却開始・停止時刻に係る時刻指令を所定のショーケースの端末制御装置に送信する時刻指令送信手段とを備え、
各ショーケースの端末制御装置は、集中制御装置からの時刻指令に基づいて冷却開始及び停止を制御する第１の冷却運転制御手段を備える、
ことを特徴とする集中管理システム。
【請求項２】
集中制御装置は、複数のショーケースを系統分けするための系統設定手段と、各系統をさらにブロック分けするためのブロック設定手段とを備え、
集中制御装置の時間差設定手段は、営業開始前と営業終了後の時間差を系統毎またはブロック毎に設定可能な機能を有する、
ことを特徴とする請求項１に記載の集中管理システム。
【請求項３】
集中制御装置は、ショーケースの冷却運転モードを設定するための冷却運転モード設定手段と、冷却運転モードに係るモード指令を所定のショーケースの端末制御装置に送信するモード指令送信手段とを備え、
各ショーケースの端末制御装置は、集中制御装置からのモード指令に基づいて冷却運転モードに準じた冷却運転を行う第２の冷却運転制御手段を備える、
ことを特徴とする請求項１または２に記載の集中管理システム。
【請求項４】
冷却運転モード設定手段で設定可能な冷却運転モードは、時刻指令に基づいて冷却開始及び停止を行う時刻制御モードと、時刻指令に依らずに冷却を継続する冷却固定モードと、時刻指令に依らずに非冷却を継続する非冷却固定モードを少なくとも含む、
ことを特徴とする請求項３に記載の集中管理システム。
【請求項５】
各ショーケースの端末制御装置は、冷却と非冷却を設定するための冷却・非冷却設定手段と、所定の冷却運転モードに準じて冷却運転が実施されている状態で冷却・非冷却設定手段によって冷却が非冷却に或いは非冷却が冷却に変更されたときに当該変更を優先してショーケースの冷却を停止或いは開始させる第３の冷却運転制御手段を備える、
ことを特徴とする請求項３または４に記載の集中管理システム。
【発明の詳細な説明】
【技術分野】
【０００１】
本発明は、端末制御装置を有する複数のショーケースの運転を集中制御装置によって統括して管理する集中管理システムに関する。
【背景技術】
【０００２】
この種の集中管理システムに関し、特開平８−１４７２１号公報には、端末制御装置を備えた複数のショーケースの夜間冷却停止の設定を集中制御装置側で行えるようにした集中管理システムが開示されている。具体的には、夜間に冷却を停止しても構わないショーケースの集合を作成してその冷却停止の開始時刻と終了時刻を設定することで、設定された開始時刻で集合に属するショーケースの冷却を停止し終了時刻で冷却を再開できるようにしている。
【特許文献１】特開平８−１４７２１号公報
【発明の開示】
【発明が解決しようとする課題】
【０００３】
前記のように一部のショーケースの冷却を停止する場合には、営業開始時刻〜営業終了時刻の間に入り込まないように冷却停止の開始時刻及び終了時刻を設定し、且つ、商品が営業開始時刻で適正に冷却されるように冷却停止の終了時刻を設定しなければならない。
【０００４】
ところで、店舗の営業時間は月，日，曜日，祝祭日，季節等や店舗側の都合によって変更されることが多々あるため、前記の冷却停止の開始時刻及び終了時刻は営業時間の変更に合わせてその都度設定し直す面倒があるが、実際上はこのような設定変更を行うことが容易なことではなく、時刻設定に伴う繁雑さから冷却停止の開始時刻〜終了時刻が営業開始時刻〜営業終了時刻と交錯してしまったり、冷却停止の終了時刻が不適切であることから営業開始時刻に適正温度で冷却された商品を提供できない等の不具合を生じ易い。
【０００５】
本発明は前記事情に鑑みて創作されたもので、その目的とするところは、ショーケースの冷却停止に係る時刻設定を簡単、且つ、的確に行うことができる集中管理システムを提供することにある。
【課題を解決するための手段】
【０００６】
前記目的を達成するため、本発明は、端末制御装置を有する複数のショーケースの運転を集中制御装置によって統括して管理する集中管理システムであって、集中制御装置は、店舗の営業開始・終了時刻を設定するための営業時刻設定手段と、営業開始前と営業終了後の時間差をそれぞれ設定するための時間差設定手段と、前記営業開始・終了時刻と前記時間差に基づいてショーケースの冷却開始・停止時刻を設定する冷却時刻設定手段と、冷却開始・停止時刻に係る時刻指令を所定のショーケースの端末制御装置に送信する時刻指令送信手段とを備え、各ショーケースの端末制御装置は、集中制御装置からの時刻指令に基づいて冷却開始及び停止を制御する第１の冷却運転制御手段を備える、ことをその特徴とする。
【０００７】
この集中管理システムによれば、営業開始・終了時刻を基準としこれら時刻との時間差に基づいてショーケースの冷却開始・停止時刻を設定できるので、時間差を予め定めておけば、店舗の営業時間が変更された場合でも変更後の営業開始・終了時刻のみを入力するだけでショーケースの冷却開始・停止時刻を適切に設定することができる。依って、冷却開始時刻〜冷却停止時刻が営業開始時刻〜営業終了時刻と交錯するような設定ミスを生じることはなく、営業開始時刻に適正温度で冷却された商品を確実に提供することができる。
【発明の効果】
【０００８】
本発明によれば、ショーケースの冷却停止に係る時刻設定を簡単、且つ、的確に行うことができる。
【０００９】
本発明の前記目的とそれ以外の目的と、構成特徴と、作用効果は、以下の説明と添付図面によって明らかとなる。
【発明を実施するための最良の形態】
【００１０】
まず、図１を参照して、集中管理システムの全体構成について説明する。
【００１１】
図１中の１０１〜１１０はショーケース、２０１，２０２は室外機、ＲＰは冷媒管、ＣＣＵは集中制御装置、ＴＣＵ１〜ＴＣＵ１０は各ショーケース１０１〜１１０に内蔵された端末制御装置、ＯＵ１，ＯＵ２は各室外機２０１，２０２に内蔵された端末制御装置、ＬＣは通信線である。
【００１２】
各ショーケース１０１〜１１０は前面開口タイプの冷凍冷蔵ショーケースから成り、１０台のショーケース１０１〜１１０のうち２台のショーケース１０２，１０９は圧縮機，凝縮器，凝縮用送風機，膨張弁付き蒸発器，庫内循環用送風機，庫内温度センサ，除霜ヒータ等を含む温調機と照明器（何れも図示省略）を備えた内蔵タイプのショーケースであって、残りの８台のショーケース１０１，１０３〜１０８，１１０は膨張弁付き蒸発器，庫内循環用送風機，庫内温度センサ，除霜ヒータ，冷媒管ＲＰから蒸発器への冷媒流入を制御する電磁弁等を含む温調機と照明器（何れも図示省略）を備えた室外機共用タイプのショーケースである。
【００１３】
図１には各ショーケース１０１〜１１０として前面開口タイプのものを例示してあるが、タイプが異なる冷凍冷蔵ショーケース、例えばドア開閉タイプの冷凍冷蔵ショーケース等が一部に含まれていてもよく、また、全てが前面開口タイプとは異なるタイプの冷凍冷蔵ショーケースであっても構わない。
【００１４】
各室外機２１０，２０２は圧縮機，凝縮器及び凝縮器用送風機等（何れも図示省略）を備えており、室外機２０１は室外機を共用するタイプの４台のショーケース１０１，１０３〜１０５の温調機に冷媒管ＲＰを介して接続され、室外機２０２は室外機を共用するタイプの４台のショーケース１０６〜１０８，１１０の温調機に冷媒管ＲＰを介して接続されている。
【００１５】
次に、図２を参照して、図１に示した集中制御装置ＣＣＵの構成について詳述する。
【００１６】
集中制御装置ＣＣＵは、コンピュータ構成の制御部３０１と、表示部３０２と、入力部３０３と、ブザー駆動部３０４と、ブザー駆動部３０４に接続されたブザー３０５と、モデム３０６と、警報信号入出力部３０７と、通信部３０８とを備える。
【００１７】
制御部３０１は、システム全体の運転を制御するための各種プログラムを保存する他、表示部３０２に表示されるデータや通信プロトコル等を保存している。この制御部３０１から各ショーケース１０１〜１１０の端末制御装置ＴＣＵ１〜ＴＣＵ１０と各室外機２０１，２０２の端末制御装置ＯＵ１，ＯＵ２には通信線ＬＣを介して各々の制御上で必要なデータが送信される。
【００１８】
モデム３０６にはコネクタ３０６ａを介して公衆回線ＰＣが接続され、外部端末からインターネット等を通じて制御部３０１のメモリに記憶されている過去の警報内容や運転情報等のデータを取り出せるようになっている。
【００１９】
警報信号入出力部３０７にはコネクタ３０７ａが設けられ、該コネクタ３０７ａには複数系統の警報入力線（図示省略）が接続できるようになっている。
【００２０】
通信部３０８にはコネクタ３０８ａを介して通信線ＬＣが接続されている。このコネクタ３０８ａは２系統のチャンネルを有しており、各チャンネルは最大で９９台の端末制御装置との通信を許容する。
【００２１】
また、集中制御装置ＣＣＵは図３に示す操作パネルを有していて、この操作パネルには、ＬＣＤ等から成るディスプレイ３１１と、ディスプレイ３１１の下側に配置された３つの画面切換ボタン３１２，３１３，３１４と、ディスプレイ３１１内でカーソルを上下左右に移動させるためのカーソルボタン３１５と、入力内容の選択を行う選択ボタン３１６と、選択された入力内容の確定を行う確定ボタン３１７と、選択された入力内容のキャンセルを行うキャンセルボタン３１８と、リセットボタン３１９と、ブザー停止ボタン３２０と、ブザー３０５用の出音孔３２１が設けられている。
【００２２】
因みに、操作パネルのディスプレイ３１１は図２に示した表示部３０２に相当し、画面切換ボタン３１２，３１３，３１４とカーソルボタン３１５と選択ボタン３１６と確定ボタン３１７とキャンセルボタン３１８とリセットボタン３１９とブザー停止ボタン３２０は図２に示した入力部３０３に相当する。
【００２３】
次に、図４を参照して、図１に示した各ショーケース１０１〜１１０の端末制御装置ＴＣＵ１〜ＴＣＵ１０の構成について詳述する。
【００２４】
各端末制御装置ＴＣＵ１〜ＴＣＵ１０は、コンピュータ構成の制御部４０１と、表示部４０２と、入力部４０３と、温調機駆動部４０４と、照明器駆動部４０５と、照明器駆動部４０５に接続された照明器４０６と、通信部４０７と、検知信号入力部４０８とを備える。
【００２５】
温調機駆動部４０４は各ショーケース１０１〜１１０に設けられた前記温調機の駆動を行う。照明器駆動部４０５は照明器４０６の点灯及び消灯を行う。通信部４０７にはコネクタ４０７ａを介して通信線ＬＣが接続されている。
【００２６】
検知信号入力部４０８にはコネクタ４０８ａを介して庫内温度センサＴＳ１１と火災検知センサＴＳ１２と蒸発器温度センサＴＳ１３と機械室温度センサＴＳ１４と蒸発皿の液面検知センサＯＳ１１が接続されている。
【００２７】
制御部４０１は、各ショーケース１０１〜１１０の運転を制御するための各種プログラムを保存する他、表示部４０２に表示されるデータや通信プロトコル等を保存している。また、制御部４０１から集中制御装置ＣＣＵには通信線ＬＣを介して各ショーケース１０１〜１１０の運転状況を現す各種データが送信されこの送信データは集中制御装置ＣＣＵの制御部３０１に随時保存される。
【００２８】
また、各端末制御装置ＴＣＵ１〜ＴＣＵ１０は図５に示す操作パネルを有していて、この操作パネルには、ＬＥＤ等から成る温度表示部４１１と、温度設定ボタン４１２と、照明器４０６の点灯と消灯を切り替えるための照明切替スイッチ４１３と、ショーケースの冷却と非冷却を切り替えるための冷却切替スイッチ４１４が設けられている。この冷却切替スイッチ４１４は押圧毎に「冷却」→「非冷却」→「冷却」・・・に順次切り替えることができ、この切替内容はスイッチ押圧の度に温度表示部４１１に適当な文字或いは記号によって表示される。
【００２９】
因みに、操作パネルの温度表示部４１１は図４に示した表示部４０２に相当し、温度設定ボタン４１２と照明切替スイッチ４１３と冷却切替スイッチ４１４は図４に示した入力部４０３に相当する。
【００３０】
次に、図６を参照して、図１に示した各室外機２０１，２０２の端末制御装置ＯＵ１，ＯＵ２の構成について詳述する。
【００３１】
各端末制御装置ＯＵ１，ＯＵ２は、コンピュータ構成の制御部５０１と、表示部５０２と、温調機駆動部５０４と、通信部５０５と、検知信号入力部５０６とを備える。
【００３２】
温調機駆動部５０４は各室外機２０１，２０２に設けられた前記温調機の駆動を行う。通信部５０５にはコネクタ５０５ａを介して通信線ＬＣが接続されている。
【００３３】
検知信号入力部５０６にはコネクタ５０６ａを介して圧縮機の吐出冷媒温度センサＴＳ２１と吸入冷媒温度センサＴＳ２２と吐出冷媒圧力センサＰＳ２１と吸入冷媒圧力センサＰＳ２２と圧縮機モータの過電流検知センサＣＳ２１が接続されている。
【００３４】
制御部５０１は、各室外機２０１，２０２の運転等を制御するための各種プログラムを保存する他、表示部５０２に表示されるデータや通信プロトコル等を保存している。また、制御部５０１から集中制御装置ＣＣＵには通信線ＬＣを介して各室外機２０１，２０２の運転状況を現す各種データが送信されこの送信データは集中制御装置ＣＣＵの制御部３０１に随時保存される。
【００３５】
前記システムでは、集中制御装置ＣＣＵの通信部３０８と、各ショーケース１０１〜１１０の端末制御装置ＴＣＵ１〜ＴＣＵ１０の通信部４０７、並びに、室外機２０１，２０２の端末制御装置ＯＵ１，ＯＵ２の通信部５０６との間で、通信線ＬＣを介して双方向の各種データ通信を可能としている。
【００３６】
また、室外機共用タイプのショーケース１０１，１０３〜１０８，１１０では、各室外機２０１，２０２から冷媒管ＲＰを介して蒸発器に冷媒を送りこみ、熱交換後の冷媒を冷媒管ＲＰを介して各室外機２１０，２０２に戻すと共に、庫内循環用送風機によって蒸発器で冷却された空気を循環させることによって展示商品の冷凍または冷蔵保存を実施することができ、庫内温度は庫内温度センサＴＳ１１の検出温度等に基づいて各々の電磁弁の開閉を制御することにより一定に維持される。内蔵タイプのショーケース１０２，１０９では、内蔵された圧縮機から蒸発器に冷媒を送りこむと共に、庫内循環用送風機によって蒸発器で冷却された空気を循環させることによって展示商品の冷凍または冷蔵保存を実施することができ、庫内温度は庫内温度センサＴＳ１１の検出温度等に基づいて圧縮機の運転を制御することにより一定に維持される。
【００３７】
以下に、図７〜図１２を参照して、前記システムの冷却運転制御に係わる設定手順について説明する。
【００３８】
まず、集中制御装置ＣＣＵの操作パネルの画面切換ボタン３１２を押して、ディスプレイ３１１の画面を図７に示す［冷却系統設定］の画面に切り換える。
【００３９】
この［冷却系統設定］の画面には、縦軸に系統１，系統２・・・が記され横軸に主子機と従子機が記され両者の交差箇所に入力欄Ａ１１，Ａ１２が設けられた表が現れる。同画面では、カーソルボタン３１５，選択ボタン３１６及び確定ボタン３１７を適宜操作して、全てのショーケース１０１〜１１０を陳列商品の種類や冷却温度等に基づいて系統分けすると共に、同じ系統に含まれるショーケースの中から主子機と従子機を選択して確定する。画面に表示されていない系統の設定を行うときには「系統切換」の表示Ａ１３に対応した画面切換ボタン３１４を押して画面切り換えを行う。
【００４０】
例えば、野菜類や肉類や魚類等の生鮮食品を陳列するショーケース１０１〜１０８を系統１としその主子機をショーケース１０１とする場合には、図７に示すように、カーソルボタン３１５を押してカーソルを系統１の入力欄Ａ１１に移動させ選択ボタン３１６を押して数字の「１０１」を選び確定ボタン３１７を押して確定し、続いて、カーソルボタン３１５を押してカーソルを系統１の入力欄Ａ１２に移動させ選択ボタン３１６を押して数字の「１０２」〜「１０８」を順次選んで確定ボタン３１７を押して確定する。
【００４１】
また、氷菓や冷凍惣菜等の冷凍食品を陳列するショーケース１０９，１１０を系統２としその主子機をショーケース１０９とする場合には、図７に示すように、カーソルボタン３１５を押してカーソルを系統２の入力欄Ａ１１に移動させ選択ボタン３１６を押して数字の「１０９」を選び確定ボタン３１７を押して確定し、続いて、カーソルボタン３１５を押してカーソルを系統２の入力欄Ａ１２に移動させ選択ボタン３１６を押して数字の「１１０」を選び確定ボタン３１７を押して確定する。
【００４２】
次に、集中制御装置ＣＣＵの操作パネルの画面切換ボタン３１２を押して、ディスプレイ３１１の画面を図８に示す［冷却ブロック設定］の画面に切り換える。
【００４３】
この［冷却ブロック設定］の画面には、系統別に縦軸にブロック１，ブロック２・・・が記され横軸に主子機と従子機が記され両者の交差箇所に入力欄Ａ２１，Ａ２２が設けられた表が現れる。同画面では、カーソルボタン３１５，選択ボタン３１６及び確定ボタン３１７を適宜操作して、各系統に属するショーケースを陳列商品の種類や冷却温度等に基づいてブロック分けすると共に、同じブロックに含まれるショーケースの中から主子機と従子機を選択して確定する。画面に表示されていないブロックの設定を行うときには「ブロック切換」の表示Ａ２３に対応した画面切換ボタン３１３を押して画面切り換えを行い、画面に表示されていない系統のブロック設定を行うときには「系統切換」の表示Ａ２４に対応した画面切換ボタン３１４を押して画面切り換えを行う。
【００４４】
例えば、系統１に属するショーケース１０１〜１０８のうち野菜類よりも低い温度で保冷を行う肉類や魚類を陳列するショーケース１０１〜１０６をブロック１としその主子機をショーケース１０１とし、且つ、肉類や魚類よりも高い温度で保冷を行う野菜類を陳列するショーケース１０７，１０８をブロック２としその主子機をショーケース１０７とする場合には、図８に示すように、カーソルボタン３１５を押してカーソルをブロック１の入力欄Ａ２１に移動させ選択ボタン３１６を押して数字の「１０１」を選び確定ボタン３１７を押して確定し、続いて、カーソルボタン３１５を押してカーソルをブロック１の入力欄Ａ２２に移動させ選択ボタン３１６を押して数字の「１０２」〜「１０６」を順次選んで確定ボタン３１７を押して確定する。また、カーソルボタン３１５を押してカーソルをブロック２の入力欄Ａ２１に移動させ選択ボタン３１６を押して数字の「１０７」を選び確定ボタン３１７を押して確定し、続いて、カーソルボタン３１５を押してカーソルをブロック２の入力欄Ａ２２に移動させ選択ボタン３１６を押して数字の「１０８」を選び確定ボタン３１７を押して確定する。
【００４５】
また、図示を省略したが、系統２に属するショーケース１０９，１１０の両方をブロック１としその主子機をショーケース１０９とする場合には、図８の画面を系統２の設定画面に切り換えた後に、カーソルボタン３１５を押してカーソルをブロック１の入力欄Ａ２１に移動させ選択ボタン３１６を押して数字の「１０９」を選び確定ボタン３１７を押して確定し、続いて、カーソルボタン３１５を押してカーソルをブロック１の入力欄Ａ２２に移動させ選択ボタン３１６を押して数字の「１１０」を選び確定ボタン３１７を押して確定する。
【００４６】
次に、集中制御装置ＣＣＵの操作パネルの画面切換ボタン３１２を押して、ディスプレイ３１１の画面を図９に示す［冷却運転制御設定］の画面に切り換える。
【００４７】
この［冷却運転制御設定］の画面には、縦軸に系統１，系統２・・・が記され横軸に冷却制御と除霜制御が記され両者の交差箇所に入力欄Ａ３１，Ａ３２が設けられた表が現れる。同画面では、カーソルボタン３１５，選択ボタン３１６及び確定ボタン３１７を適宜操作して、各系統に属するショーケースの冷却制御の制御方式と除霜制御の単位をそれぞれ選択して確定する。画面に表示されていない系統の設定を行うときには「系統切換」の表示Ａ３３に対応した画面切換ボタン３１４を押して画面切り換えを行う。
【００４８】
例えば、系統１に属するショーケース１０１〜１０８の冷却制御を通常とし、除霜制御をブロック単位とする場合には、図９に示すように、カーソルボタン３１５を押してカーソルを系統１の入力欄Ａ３１に移動させ選択ボタン３１６を押して文字の「通常」を選び確定ボタン３１７を押して確定し、続いて、カーソルボタン３１５を押してカーソルを系統１の入力欄Ａ３２に移動させ選択ボタン３１６を押して文字の「ブロック単位」を選び確定ボタン３１７を押して確定する。
【００４９】
また、系統２に属するショーケース１０９，１１０の冷却制御を通常とし、除霜制御を系統単位とする場合には、図９に示すように、カーソルボタン３１５を押してカーソルを系統２の入力欄Ａ３１に移動させ選択ボタン３１６を押して文字の「通常」を選び確定ボタン３１７を押して確定し、続いて、カーソルボタン３１５を押してカーソルを系統２の入力欄Ａ３２に移動させ選択ボタン３１６を押して文字の「系統単位」を選び確定ボタン３１７を押して確定する。
【００５０】
因みに、前記の入力欄Ａ３１に入力可能な文字には「通常」「デューティ」「フロート」の少なくとも３種類が用意されていて、「通常」は検出温度に基づくオンオフ制御を指し、「デューティ」は予め設定されたデューティ信号に基づくオンオフ制御を指し、「フロート」はフロート制御を指す。また、前記の除霜制御には系統単位とブロック単位とが用意されていて、系統１に属するショーケース１０１〜１０８に関しては野菜類よりも低い温度で保冷を行う肉類や魚類を陳列するブロック１のショーケース１０１〜１０６の除霜と、肉類や魚類よりも高い温度で保冷を行う野菜類を陳列するブロック２のショーケース１０７，１０８の除霜を別々に行えるようにしている。
【００５１】
次に、集中制御装置ＣＣＵの操作パネルの画面切換ボタン３１２を押して、ディスプレイ３１１の画面を図１０に示す［営業時間（週間）スケジュール設定］の画面に切り換える。
【００５２】
この［営業時間（週間）スケジュール設定］には、縦軸に一括，曜日が記され横軸に営業開始・終了が記され両者の交差箇所に入力欄Ａ４１，Ａ４２，Ａ４３が設けられた表が現れる。同画面では、カーソルボタン３１５，選択ボタン３１６及び確定ボタン３１７を適宜操作して、一括（共通）には店舗の標準的な営業開始・終了時刻を選択し確定すると共に一括を採用するか否かを選定し、曜日には曜日毎の営業開始・終了時刻を選択して確定する。この営業時間スケジュール設定は週単位の他に月単位と年間単位の設定画面も用意されているので、これらをディスプレイ３１１に表示して設定を行う場合には「設定単位切換」の表示Ａ４４に対応した画面切換ボタン３１４を押して画面切り換えを行う。
【００５３】
例えば、標準的な営業開始・終了時刻を９：００〜２０：００とし一括を採用する場合には、図１０に示すように、カーソルボタン３１５を押してカーソルを一括の入力欄Ａ４１に移動させ選択ボタン３１６を押して数字の「９：００」と「２０：００」を順次選んで確定ボタン３１７を押して確定し、続いて、カーソルボタン３１５を押してカーソルを入力欄Ａ４２に移動させ選択ボタン３１６を押して文字の「設定」を選び確定ボタン３１７を押して確定する。因みに、前記の入力欄Ａ４２に入力可能な文字には「設定」と「非設定」の２種類が用意されている。
【００５４】
また、曜日別の営業開始・終了時刻を９：００〜２０：００（日），１０：００〜２０：００（月），ブランク（火，営業休止日），９：３０〜２０：３０（水），１０：００〜２０：００（木），１０：００〜２０：００（金），１０：００〜２０：００（土）とする場合には、図１０に示すように、カーソルボタン３１５を押してカーソルを一括の入力欄Ａ４３に移動させ選択ボタン３１６を押して該当する数字を順次選んで確定ボタン３１７を押して確定する。
【００５５】
次に、集中制御装置ＣＣＵの操作パネルの画面切換ボタン３１２を押して、ディスプレイ３１１の画面を図１１に示す［冷却スケジュール設定（系統毎）］の画面に切り換える。
【００５６】
この［冷却スケジュール設定（系統毎）］の画面には、先の冷却系統設定（図７参照）で定めた系統毎に先の営業時間スケジュール設定（図１０参照）で定めた営業時間に冷却・非冷却を連動させるか否かを選択して確定する入力欄Ａ５１と、連動を設定したときの冷却開始・終了時刻を営業時間との時間差で定めるための入力欄Ａ５２が現れる。同画面では、カーソルボタン３１５，選択ボタン３１６及び確定ボタン３１７を適宜操作して、それぞれの入力欄Ａ５２，Ａ５２で必要事項を選択して確定する。画面に表示されていない系統の設定を行うときには「系統切換」の表示Ａ５３に対応した画面切換ボタン３１４を押して画面切り換えを行う。
【００５７】
例えば、系統１に属するショーケース１０１〜１０８に陳列された野菜類や肉類や魚類等の生鮮食品は営業時間終了後にショーケースから撤去して冷凍・冷蔵保管庫に収納されるため、営業時間終了後にショーケース１０１〜１０８の冷却を停止しても特段支障はない。依って、この系統１に属するショーケース１０１〜１０８の冷却・非冷却は先の営業時間スケジュール設定（図１０参照）で定めた営業時間に連動させることが可能である。
【００５８】
この場合には、図１１に示すように、カーソルボタン３１５の押してカーソルを入力欄Ａ５１に移動させ選択ボタン３１６を押して文字の「連動する」を選び確定ボタン３１７の押して確定する。因みに、この入力欄Ａ５１に入力可能な文字には「連動する」「連動しない」の２種類が用意されている。
【００５９】
また、連動時の設定として冷却開始を営業開始時刻の３０分前とし冷却終了を営業終了時刻の４０分後とする場合には、図１１に示すように、カーソルボタン３１５を押してカーソルを入力欄Ａ５２に移動させ選択ボタン３１６を押して数字の「３０」と「４０」を順次選んで確定ボタン３１７の押して確定する。
【００６０】
一方、系統２に属するショーケース１０９，１１０に陳列された氷菓や冷凍惣菜等の冷凍食品は営業時間収納後もそのままの状態にあるため、営業時間終了後にショーケース１０９，１１０の冷却を停止することはできない。依って、この系統２に属するショーケース１０９，１１０の冷却・非冷却は先の営業時間スケジュール設定（図１０参照）で定めた営業時間に連動させることはできない。
【００６１】
この場合には、図１１の画面を系統２の設定画面に切り換えた後に、カーソルボタン３１５の押してカーソルを入力欄Ａ５１に移動させ選択ボタン３１６を押して文字の「連動しない」を選び確定ボタン３１７の押して確定する。
【００６２】
また、系統２に関しては「連動しない」が「連動する」に変更された場合のことを考慮し、図１１と同様に、カーソルボタン３１５を押してカーソルを入力欄Ａ６２に移動させ選択ボタン３１６を押して数字の「３０」と「４０」を順次選んで確定ボタン３１７の押して確定する。
【００６３】
次に、集中制御装置ＣＣＵの操作パネルの画面切換ボタン３１２を押して、ディスプレイ３１１の画面を図１２に示す［冷却スケジュール設定（ブロック毎）］の画面に切り換える。
【００６４】
この［冷却スケジュール設定（ブロック毎）］の画面には、先のブロック設定（図８参照）で定めたブロック毎に先の営業時間スケジュール設定（図１０参照）で定めた営業時間に冷却・非冷却を連動させるか否かを選択して確定する入力欄Ａ６１と、連動を設定したときの冷却開始・終了時刻を営業時間との時間差で定めるための入力欄Ａ６２が現れる。同画面では、カーソルボタン３１５，選択ボタン３１６及び確定ボタン３１７を適宜操作してそれぞれの入力欄に必要事項を選択して確定する。画面に表示されていないブロックの設定を行うときには「ブロック切換」の表示Ａ６３に対応した画面切換ボタン３１３を押して画面切り換えを行い、画面に表示されていない系統のブロック設定を行うときには「系統切換」の表示Ａ６４に対応した画面切換ボタン３１４を押して画面切り換えを行う。
【００６５】
例えば、系統１のブロック１に属するショーケース１０１〜１０６の冷却・非冷却を先の営業時間スケジュール設定（図１０参照）で定めた営業時間に連動させるときには、図１２に示すように、カーソルボタン３１５の押してカーソルを入力欄Ａ６１に移動させ選択ボタン３１６を押して文字の「連動する」を選び確定ボタン３１７の押して確定する。因みに、この入力欄Ａ６１に入力可能な文字には「連動する」「連動しない」の２種類が用意されている。
【００６６】
また、系統１のブロック１に関し連動時の設定として冷却開始を営業開始時刻の３０分前とし冷却終了を営業終了時刻の４０分後とする場合には、図１２に示すように、カーソルボタン３１５を押してカーソルを入力欄Ａ６２に移動させ選択ボタン３１６を押して数字の「３０」と「４０」を順次選んで確定ボタン３１７の押して確定する。図示を省略したが、系統１のブロック２に属するショーケース１０７，１０８のスケジュール設定も、図８の画面をブロック２の設定画面に切り換えた後に前記同様に行う。
【００６７】
一方、図示を省略したが、系統２のブロック１に属するショーケース１０９，１１０の冷却・非冷却を先の営業時間スケジュール設定（図１０参照）で定めた営業時間に連動させないときには、図１２の画面を系統２の設定画面に切り換えた後に、カーソルボタン３１５の押してカーソルを入力欄Ａ６１に移動させ選択ボタン３１６を押して文字の「連動しない」を選び確定ボタン３１７の押して確定する。
【００６８】
また、系統２のブロック１に関しては「連動しない」が「連動する」に変更された場合のことを考慮し、前記と同様に、カーソルボタン３１５を押してカーソルを入力欄Ａ６２に移動させ選択ボタン３１６を押して数字の「３０」と「４０」を順次選んで確定ボタン３１７の押して確定する。
【００６９】
図７〜図１２に例示した各種設定を総括すると、１０台のショーケース１０１〜１１０の系統及びブロックは、
・系統１：１０１〜１０８（主子機１０１，従子機１０２〜１０８）
・ブロック１：１０１〜１０６（主子機１０１，従子機１０２〜１０６）
・ブロック２：１０７，１０８（主子機１０７，従子機１０８）
・系統２：１０９，１１０（主子機１０９，従子機１１０）
・ブロック１：１０９，１１０（主子機１０９，従子機１１０）
に設定され、冷却制御は、
・系統１（１０１〜１０８）：通常
・系統２（１０９，１１０）：通常
に設定され、除霜制御は、
・系統１（１０１〜１０８）：ブロック単位
・系統２（１０９，１１０）：系統単位
に設定されている。
【００７０】
また、冷却開始・停止時刻の基準時刻となる営業時間は、
・一括（共通）
・営業開始時刻が９：００で営業終了時刻は２０：００
に設定され、系統１（１０１〜１０８）の冷却スケジュールは、
・営業時間に連動する
・冷却開始が営業開始時刻の３０分前（８：３０）
・冷却停止が営業終了時刻の４０分後（２０：４０）
に設定され、系統２（１０９，１１０）の冷却スケジュールは、
・営業時間に連動しない
に設定されている。
【００７１】
これら設定データは設定完了後に集中制御装置ＣＣＵから各ショーケース１０１〜１１０の端末制御装置ＴＣＵ１〜ＴＣＵ１０に送信され、各ショーケース１０１〜１１０の冷却開始及び停止は前記設定データに基づき端末制御装置ＴＣＵ１〜ＴＣＵ１０によって制御される。
【００７２】
図１３は前記設定に基づく各ショーケース１０１〜１１０の冷却状態を示すもので、系統１に属するショーケース１０１〜１０８にあっては、営業開始時刻９：００の３０分前である８：３０に冷却が開始され、営業終了時刻２０：００の４０分後である２０：４０に冷却が停止される。一方、系統２に属するショーケース１０８，１０９にあっては１日を通して冷却が継続される。
【００７３】
このように、営業時間終了後に冷却を停止しても特段支障を生じることのないショーケースに関しては、営業開始・終了時刻を基準としこれら時刻との時間差に基づいて冷却開始・停止時刻を設定できるので、時間差を予め定めておけば、店舗の営業時間が変更された場合でも変更後の営業開始・終了時刻のみを入力するだけで前記ショーケースの冷却開始・停止時刻を適切に設定することができる。依って、冷却開始時刻〜冷却停止時刻が営業開始時刻〜営業終了時刻と交錯するような設定ミスを生じることはなく、営業開始時刻に適正温度で冷却された商品を確実に提供することができる。
【００７４】
また、前記時間差を、営業開始時刻前に行われる商品陳列作業に要する時間並びに営業終了時刻後に行われる商品撤去作業に要する時間を考慮して設定することができるので、商品陳列が営業開始時刻に間に合わない等の不具合を回避できると共に、冷却停止時間を最大限に設定して冷却停止に依るエネルギーコスト削減を効果的に行うことができる。
【００７５】
さらに、前記時間差をブロック毎に設定してこれを適用することもできるので、ブロック毎に系統とは異なる時間差を設定して営業時間と連動させるようにすれば、ブロック毎に異なる冷却開始・停止時刻を設定して陳列商品の種類や冷却温度等により適合した冷却・非冷却の制御を行うことができる。
【００７６】
前記の集中管理システムでは、集中制御装置ＣＣＵの操作パネルによって各ショーケース１０１〜１１０の冷却・非冷却と冷却運転モードを手動操作することができる。以下、この点について詳述する。
【００７７】
各ショーケース１０１〜１１０の冷却・非冷却と冷却運転モードを集中制御装置ＣＣＵの操作パネルによって操作するときには、図３に示した操作パネルの画面切換ボタン３１２を押して、ディスプレイ３１１の画面を図１４に示す［手動冷却操作］の画面に切り換える。
【００７８】
この［手動冷却操作］の画面には、図７〜図１２に例示した各種設定による冷却状態が系統毎に系統，ブロック，子機の別に記号で表示され、各々下側に設定を変更するための入力欄Ａ７１，Ａ７２，Ａ７３が設けられた表が現れる。冷却状態を表す記号には「○（時刻制御モードで現在冷却中）」「×（時刻制御モードで現在非冷却中）」「冷（冷却固定モード）」「非（非冷却固定モード）」「△（各種モードが混在）」が使用されており、時刻制御モードとは先に説明した冷却開始・終了時刻で冷却・非冷却を制御するモードである。
【００７９】
所望のショーケース対して冷却・非冷却と冷却運転モードを手動操作するときには、カーソルボタン３１５，選択ボタン３１６及び確定ボタン３１７を適宜操作して、所望の入力欄Ａ７１，Ａ７２，Ａ７３で必要事項を選択して確定する。画面に表示されていない系統の冷却運転モードを手動操作するときには「系統切換」の表示Ａ７４に対応した画面切換ボタン３１４を押して画面切り換えを行う。
【００８０】
例えば、系統１に属する全てのショーケース１０１〜１０８を冷却運転モードを変えずに非冷却にするとき、ブロック１に属する全てのショーケース１０１〜１６またはブロック２に属する全てのショーケース１０７，１０８を冷却運転モードを変えずに非冷にするとき、または、系統１に属するショーケース１０１〜１０８のうちの少なくとも１つを冷却運転モードを変えずに非冷却にするときには、カーソルボタン３１５を押してカーソルを所定の入力欄に移動させ選択ボタン３１６を押して記号の「×」を選び確定ボタン３１７を押して確定する。非冷却から冷却に戻すときには同じ入力欄にカーソルを移動させ「○」を選んで確定ボタン３１７を押せばよい。
【００８１】
また、系統１に属する全てのショーケース１０１〜１０８の冷却運転モードを時刻制御モードから冷却固定モードに変えるとき、ブロック１に属する全てのショーケース１０１〜１６またはブロック２に属する全てのショーケース１０７，１０８の冷却運転モードを時刻制御モードから冷却固定モードに変えるとき、または、系統１に属するショーケース１０１〜１０８のうちの少なくとも１つの冷却運転モードを時刻制御モードから冷却固定モードに変えるときには、カーソルボタン３１５を押してカーソルを所定の入力欄に移動させ選択ボタン３１６を押して記号の「冷」を選び確定ボタン３１７を押して確定する。
【００８２】
さらに、系統１に属する全てのショーケース１０１〜１０８の冷却運転モードを時刻制御モードから非冷却固定モードに変えるとき、ブロック１に属する全てのショーケース１０１〜１６またはブロック２に属する全てのショーケース１０７，１０８の冷却運転モードを時刻制御モードから非冷却固定モードに変えるとき、または、系統１に属するショーケース１０１〜１０８のうちの少なくとも１つの冷却運転モードを時刻制御モードから非冷却固定モードに変えるときには、カーソルボタン３１５を押してカーソルを所定の入力欄に移動させ選択ボタン３１６を押して記号の「非」を選び確定ボタン３１７を押して確定すればよい。
【００８３】
系統２に属するショーケース１０８，１０９対して冷却・非冷却と冷却運転モードを手動操作する場合の手順も前記と同じである。
【００８４】
また、前記の集中管理システムでは、各ショーケース１０１〜１１０の端末制御装置ＴＣＵ１〜ＴＣＵ１０の操作パネルによって各ショーケース１０１〜１１０の冷却・非冷却を手動操作することもできる。以下、この点について詳述する。
【００８５】
各ショーケース１０１〜１１０の冷却・非冷却を各ショーケース１０１〜１１０の端末制御装置ＴＣＵ１〜ＴＣＵ１０の操作パネルによって操作するときには、所望のショーケースの操作パネルの冷却切替スイッチ４１４を適宜押圧する。
【００８６】
例えば、時刻制御モードで現在冷却中のショーケースを非冷却にするときには該ショーケースの操作パネルの冷却切替スイッチ４１４を押して非冷却にすればよい。この変更操作は冷却運転モードに優先されるため、ショーケースが時刻制御モードで運転されていて冷却時間帯にあっても該ショーケースの冷却は非冷却となる。非冷却から冷却に戻すときにはショーケースの操作パネルの冷却切替スイッチ４１４を押して冷却にすればよい。
【００８７】
このように、集中制御装置ＣＣＵの操作パネルによって各ショーケース１０１〜１１０の冷却運転モードを一時的に他の冷却運転モードに変更できるので、通常とは異なる状況、例えば生鮮食品を営業終了後に撤去せずにそのまま放置する状況が生じたときや冷凍食品を営業終了後に撤去する状況が生じたときでもこれら状況に臨機応変に対応できる利点がある。
【００８８】
また、集中制御装置ＣＣＵの操作パネルまたは各ショーケース１０１〜１１０の端末制御装置ＴＣＵ１〜ＴＣＵ１０の操作パネルによって各ショーケース１０１〜１１０の冷却・非冷却を手動操作できるので、整備点検を行うときや売り切れ等によって冷却が不要になったときや強制除霜を行うとき等において所望のショーケースの冷却状態を迅速に変更できる利点がある。
【００８９】
以上の説明では、１０台のショーケースと２台の室外機と１台の集中制御装置とを含むものをシステムとして例示したが、ショーケース及び室外機の数には特段の制限はなく、ショーケースを１１台以上または９以下としたり室外機を３台以上または０台としたシステム構成であっても前記同様の作用効果を得ることができる。
【図面の簡単な説明】
【００９０】
【図１】集中管理システムの全体構成を示すである。
【図２】図１に示した集中制御装置の構成を示す図である。
【図３】図１に示した集中制御装置の操作パネルを示す図である。
【図４】図１に示した各ショーケースの端末制御装置の構成を示す図である。
【図５】各ショーケースの端末制御装置に設けられた操作パネルを示す図である。
【図６】図１に示した各室外機の端末制御装置の構成を示す図である。
【図７】集中制御装置における冷却系統設定の画面を示す図である。
【図８】集中制御装置における冷却ブロック設定の画面を示す図である。
【図９】集中制御装置における冷却運転制御設定の画面を示す図である。
【図１０】集中制御装置における営業時間（週間）スケジュール設定の画面を示す図である。
【図１１】集中制御装置における冷却スケジュール設定（系統毎）の画面を示す図である。
【図１２】集中制御装置における冷却スケジュール設定（ブロック毎）の画面を示す図である。
【図１３】図７〜図１２に例示した各種設定に基づく各ショーケースの冷却状態を示す図である。
【図１４】集中制御装置における手動冷却操作の画面を示す図である。
【符号の説明】
【００９１】
１０１〜１１０…ショーケース、２０１，２０２…室外機、ＲＰ…冷媒管、ＣＣＵ…集中制御装置、３０１…制御部、３０２…表示部、３０３…入力部、３０８…通信部、３１１…ディスプレイ、３１２，３１３，３１４…画面切換ボタン、３１５…カーソルボタン、３１６…選択ボタン、３１７…確定ボタン、ＴＣＵ１〜ＴＣＵ１０…各ショーケースに内蔵された端末制御装置、４０１…制御部、４０７…通信部、４１４…冷却切替スイッチ、ＯＵ１，ＯＵ２…各室外機に内蔵された端末制御装置、５０１…制御部、５０５…通信部。
【図１】
2005315458.tif 000003
【図２】
2005315458.tif 000004
【図３】
2005315458.tif 000005
【図４】
2005315458.tif 000006
【図５】
2005315458.tif 000007
【図６】
2005315458.tif 000008
【図７】
2005315458.tif 000009
【図８】
2005315458.tif 000010
【図９】
2005315458.tif 000011
【図１０】
2005315458.tif 000012
【図１１】
2005315458.tif 000013
【図１２】
2005315458.tif 000014
【図１３】
2005315458.tif 000015
【図１４】
2005315458.tif 000016